(57)【要約】      （修正有）【課題】ラミネート加工され、溝を設けることができない門柱を用いる場合に対しても、ヒンジが門柱に対して回転することを防止した門扉を提供する。【解決手段】門柱２と、ヒンジ４と、ヒンジ取付具３とを備え、ヒンジ取付具３は、門柱２とヒンジ４との間に取り付けられる取付部３１と、門柱２角部に沿って延出する回り止め片３２とを備えることにより、溝を有しない門柱２に対してもヒンジ４の回転を防止する。【選択図】図１
2018127858.tif 000002
【特許請求の範囲】
【請求項１】
門柱と、ヒンジと、ヒンジ取付具とを備え、ヒンジ取付具は、門柱とヒンジとの間に取り付けられる取付部と、門柱の角部に沿って延出する回り止め片とを備えることを特徴とする門扉。
【発明の詳細な説明】
【技術分野】
【０００１】
本発明は、門扉に関する。
【背景技術】
【０００２】
ヒンジを取付けるために門柱に設けるヒンジ固定穴は、ヒンジ固定ネジの径より大きい。そのため、門柱にヒンジを取り付けると、ヒンジが回転してヒンジの軸が傾き、扉が正しく取り付けられないという問題があった。従来の門扉においては、図９に示すように、突起を有するヒンジと、その突起に係合する溝を設けた門柱を用いることにより、ヒンジの回転を防止していた。
【発明の概要】
【発明が解決しようとする課題】
【０００３】
しかし、門扉に用いられるアルミ形材には、外周にラミネート加工を施して意匠性を高めたものがあり、ラミネート加工された門柱を用いる場合、門柱に溝を設けることができない。
本発明は上記実情に鑑み、ヒンジが門柱に対して回転することを防止した門扉を提供することを目的とする。
【課題を解決するための手段】
【０００４】
本発明は、門柱と、ヒンジと、ヒンジ取付具とを備え、ヒンジ取付具は、門柱とヒンジとの間に取り付けられる取付部と、門柱の角部に沿って延出する回り止め片とを備えることを特徴とする。
【発明の効果】
【０００５】
本発明によれば、ヒンジ取付具が、門柱とヒンジとの間に取り付けられる取付部と、門柱の角部に沿って延出する回り止め片とを備えることにより、溝を有しない門柱に対してもヒンジの回転を防止することができる。
【図面の簡単な説明】
【０００６】
【図１】門扉の要部拡大図である。
【図２】門扉の正面図である。
【図３】図２のＡ―Ａ線断面図である。
【図４】門柱を示し、（ａ）は正面図、（ｂ）は裏板を取り付けた状態の平面図である。
【図５】ヒンジ取付具を示し、（ａ）は平面図、（ｂ）は正面図、（ｃ）は右側面図である。
【図６】ヒンジを示し、（ａ）は左側面図、（ｂ）は正面図、（ｃ）はＢ―Ｂ線断面図である。
【図７】裏板を示し、（ａ）は平面図、（ｂ）は左側面図、（ｃ）は正面図である。
【図８】門柱の他の実施形態を示す平面図である。
【図９】従来の門扉におけるヒンジの回転防止手段を示す要部拡大図である。
【発明を実施するための形態】
【０００７】
以下、本発明の実施の形態を図面に基づいて説明する。なお、以下において、図２のように門扉を正面視した際の左右を左右方向とし、図２の手前側及び奥側を前後方向とする。
【０００８】
この門扉は、両開きの門扉であって、図２及び図３に示すように、左右に立設した門柱２，２にはヒンジ取付具３を介して、夫々上下二つのヒンジ４，４が取り付けてあり、ヒンジ４によって左右の扉１，１が回動可能に門柱２，２に取り付けてある。
【０００９】
門柱２の材質は限定されないが、例えば中空のアルミ形材であって、外周にラミネート加工が施されたものであってもよい。図２に示すように、門柱２は、正面の上下２箇所にヒンジ４が取り付けられる。詳しくは、図４に示すように、門柱２の正面において、上端にはキャップを取り付けるためのキャップ取付穴２ａが設けてあり、上下２箇所に裏板６を中空部内に取り付けるための裏板固定穴２ｂが設けてあり、裏板固定穴２ｂの上下にはヒンジ４を固定するためのヒンジ固定穴２ｃ，２ｃが設けてある。裏板固定穴２ｂ及びヒンジ固定穴２ｃは、夫々挿通するネジの径よりも大きい。
【００１０】
ヒンジ取付具３は、ヒンジ４と門柱２との間に取り付けられて、ヒンジ４の回り止めとなる。図１及び図５に示すように、ヒンジ取付具３は、門柱２の前側の見付面とヒンジ４の後側見付面との間に取り付けられる平板状の取付部３１と、取付部３１の左右の一端を門柱２の角部に沿う角度（取付部３１と直交する方向）に折り曲げて延出させた回り止め片３２とが、平面視略Ｌ字形状をなし、門柱２に係合する。取付部３１の中央部には、後述する裏板６を門柱２の中空部内へ固定する裏板固定ネジ７のネジ頭を逃がすための逃げ穴３１ｄが設けてあり、逃げ穴３１ｄの上下には、ヒンジ４を門柱２へ固定するヒンジ固定ネジ５が挿通される固定穴３１ｃ，３１ｃが設けてある。また、固定穴３１ｃ，３１ｃから夫々上端部及び下端部へ向かって、被係合部３１ｅ，３１ｅが設けてある。被係合部３１ｅは、後述するヒンジ４のカバー材４３に形成された係合部４３ｅと対向する位置にある。
【００１１】
ヒンジ４は、図１及び図６に示すように、ヒンジ取付具３を介して門柱２の見付け面に取り付けられるものであり、ひじ金具４１と、軸４２と、カバー材４３とからなる。両開きの門扉において左右のヒンジ４，４は、左右対称な同一形態のものを使用する。
ひじ金具４１は、左右に伸びる略四角柱の固定部４１ａを備え、固定部４１ａの一端に円筒状の軸部４１ｂを垂直方向に備える。固定部４１ａの他端は、後述するカバー材４３のカバー本体４３ａに左右方向（扉１を取り付ける側）から挿入されて、カバー本体４３ａの内部において固定される。詳しくは、カバー本体４３ａに挿入される固定部４１ａの見込面には、左右方向にネジ穴４６ａが形成されており、見付面には、前後方向にネジ穴４４ａが形成されている。カバー本体４３ａの外方からネジ穴４６ａ及びネジ穴４４ａへネジが挿入されて、ひじ金具４１は固定される。ひじ金具４１の軸部４１ｂは、カバー本体４３ａの扉１側に露出しており、上部から軸４２が突出している。軸４２には扉１に設けられる扉固定具１１が取り付けられる。
カバー材４３は、ひじ金具４１を挿入する略箱状のカバー本体４３ａと、カバー本体４３ａから上下方向に延出した延出部４３ｂ，４３ｂとからなる。カバー本体４３ａと延出部４３ｂ，４３ｂは後側の見付け面が面一の取付面４３ｄを形成しており、取付面４３ｄは、ヒンジ取付具３の取付部３１と略同じ大きさである。延出部４３ｂ，４３ｂには、門柱２及び裏板６のヒンジ固定穴２ｃ，６ｃに対応する位置に固定穴４３ｃが形成されている。また、延出部４３ｂ，４３ｂの取付面４３ｄには、係合部４３ｅが設けてある。係合部４３ｅは、固定穴４３ｃから上下端部へ向かって延びる突条であり、ヒンジ取付具３の被係合部３１ｅと係合する。カバー本体４３ａは、前側見付面に前後調節ネジ４４及びひじ金具固定ネジ４５を備える。カバー本体４３ａの扉１を取り付ける側の見込面は、ひじ金具４１の固定部４１ａを挿入するための開口を備え、その反対側の見込面に左右調節ネジ４６を備える。前後調節ネジ４４は、ひじ金具４１の前後方向に設けたネジ穴４４ａにねじ込まれて、その回転量を調節することにより、ひじ金具４１の前後方向の位置を調節し、左右調節ネジ４６は、ひじ金具４１の左右方向に設けたネジ穴４６ａにねじ込まれてひじ金具４１の左右方向の位置を調節することで、扉１と門柱２との間でヒンジ４の取り付け位置を調節する。
【００１２】
裏板６は、図７に示すように、二つの角部６ａ，６ａを有する平面視略コ字形状の平板である。門柱２を介してヒンジ４の取付面４３ｄと対向する面には、略中央に門柱２の中空部内へネジ止めするための取付穴６ｂが設けてあり、その取付穴６ｂの上下には、ヒンジ４をヒンジ固定ネジ５によって門柱２へ固定するためのヒンジ固定穴６ｃ，６ｃが設けてある。
【００１３】
この門扉において、門柱２へのヒンジ４の取り付けは、例えば以下のように行う。
まず、門柱２の中空部内に裏板６を当て、門柱２の前側から裏板固定穴２ｂへ裏板固定ネジ７を挿入し、裏板６の取付穴６ｂにネジ止めする。次に、ヒンジ取付具３の回り止め片３２と取付部３１を門柱２の角部に沿って当接させるとともに、ヒンジ取付具３の取付部３１とヒンジ４の取付面４３ｄを重ね合わせ、係合部４３ｅと被係合部３１ｅを係合させる。ヒンジ固定ネジ５を、ヒンジ４の固定穴４３ｃから挿入し、ヒンジ取付具３の固定穴３１ｃと門柱２を介して裏板６のヒンジ固定穴６ｃへとネジ止めする。ヒンジ４の前後調節ネジ４４と左右調節ネジ４６の回転量を調節して、ひじ金具４１の取り付け位置を調節した後、扉１を取り付ける。
【００１４】
このように構成した門扉によれば、ヒンジ取付具３が、門柱２とヒンジ４の間に取り付けられる取付部３１と門柱２の角部に沿って延出する回り止め片３２とを備えるため、ヒンジ取付具３とヒンジ４が門柱２に係合し、ヒンジ４の回転を防ぐことができる。詳しくは、門柱２に設けたヒンジ固定穴２ｃはヒンジ固定ネジ５の径より大きいため、そのままヒンジ４を取り付けたのでは、ヒンジ４が回転して軸が傾いてしまうが、ヒンジ４を固定するヒンジ取付具３の、取付部３１と回り止め片３２の二面が門柱２の角部に当接しており、回り止め片３２が回転方向と直交する方向に延出することによってヒンジ４の回転を規制することができる。
さらに、ヒンジ４とヒンジ取付具３も、係合部４３ｅと被係合部３１ｅによって係合しており、ヒンジ４の回転を防止している。
また、門柱２を図８に示す他の実施形態の門柱２０とすれば、門柱２０は中空部内において、前側の角部に凸部２０ａ，２０ａが設けてあるため、門柱２０と裏板６とのクリアランスが小さくなり、ヒンジ４の回転防止により効果的である。
【００１５】
本発明は、上記の実施形態に限定されない。例えば、門扉は一つの扉を備え扉の片側の側面にヒンジを備える片開きのものであってもよい。また、ヒンジ取付具は回り止め片を左右両端に備えるものであってもよい。ヒンジの係合部とヒンジ取付具の被係合部の形状は限定されるものではない。凸状の係合部と凹状の被係合部が係合するものに限らず、凹状の係合部と凸状の被係合部が係合するものであってもよい。
【符号の説明】
【００１６】
１      扉
２      門柱
３      ヒンジ取付具
４      ヒンジ
３１      取付部
３２      回り止め片
【図１】
2018127858.tif 000003
【図２】
2018127858.tif 000004
【図３】
2018127858.tif 000005
【図４】
2018127858.tif 000006
【図５】
2018127858.tif 000007
【図６】
2018127858.tif 000008
【図７】
2018127858.tif 000009
【図８】
2018127858.tif 000010
【図９】
2018127858.tif 000011